(57)【特許請求の範囲】
【請求項１】
タイヤ周方向に延在して環状をなすトレッド部と、該トレッド部の両側に配置された一対のサイドウォール部と、これらサイドウォール部のタイヤ径方向内側に配置された一対のビード部とを備え、車両に対する装着方向が指定された空気入りタイヤにおいて、
前記トレッド部のセンター領域にタイヤ周方向に延びる第１主溝を設け、前記トレッド部のタイヤ赤道位置よりも車両内側の領域にタイヤ周方向に延びる第２主溝を設け、前記トレッド部のタイヤ赤道位置よりも車両外側の領域にタイヤ周方向に延びて溝幅及び溝深さの少なくとも一方が前記第１主溝及び前記第２主溝よりも小さいサブ溝を設け、
前記第１主溝の中心位置からタイヤ赤道位置までの距離ＧＬ１をタイヤ接地幅ＴＬの半幅ＴＬ／２の６％以下とし、前記第２主溝の中心位置からタイヤ赤道位置までの距離ＧＬ２をタイヤ接地幅ＴＬの半幅ＴＬ／２の４０％〜６５％とし、前記サブ溝の中心位置からタイヤ赤道位置までの距離ＧＬ３をタイヤ接地幅ＴＬの半幅ＴＬ／２の４０％〜６５％とし、
前記第２主溝よりも車両内側に第１リブを区画し、前記第２主溝と前記第１主溝との間に第２リブを区画し、前記第１主溝と前記サブ溝との間に第３リブを区画し、前記サブ溝よりも車両外側に第４リブを区画すると共に、
前記トレッド部に、一端が車両内側の接地端に到達し他端が前記第２主溝に対して非連通となるように第１リブ内で閉止した複数本の第１ラグ溝と、一端が前記第２主溝に連通し他端が第１リブ内又は第２リブ内で閉止した複数本の第２ラグ溝と、一端が前記第１主溝に連通し他端が第２リブ内又は第３リブ内で閉止した複数本の第３ラグ溝と、一端が前記サブ溝に連通し他端が第３リブ内で閉止した複数本の第４ラグ溝と、一端が前記サブ溝に連通し他端が第４リブ内で閉止した複数本の第５ラグ溝と、一端が車両外側の接地端に到達し他端が前記サブ溝に対して非連通となるように第４リブ内で閉止した複数本の第６ラグ溝を設けたことを特徴とする空気入りタイヤ。
【請求項２】
前記第２ラグ溝及び前記第３ラグ溝が車両内側に向かって開口することを特徴とする請求項１に記載の空気入りタイヤ。
【請求項３】
前記第１ラグ溝が車両内側の接地端を横切って前記第１リブの車両内側の端部まで延在し、前記第６ラグ溝が車両外側の接地端を横切り、該第６ラグ溝の車両外側の端部が第４リブ内で閉止することを特徴とする請求項２に記載の空気入りタイヤ。
【請求項４】
前記第２主溝から前記第１ラグ溝のタイヤ赤道側の閉止端までの距離ＲＧ１を前記第１リブの接地領域内での幅ＲＬ１の１５％〜３５％とし、前記第２主溝から前記第２ラグ溝の閉止端までの距離ＲＧ２を前記第２リブの幅ＲＬ２の３０％〜６５％とし、前記第１主溝から前記第３ラグ溝の閉止端までの距離ＲＧ３を前記第３リブの幅ＲＬ３の２５％〜６０％とし、前記サブ溝から前記第４ラグ溝の閉止端までの距離ＲＧ４を前記第３リブの幅ＲＬ３の１５％〜４０％とし、前記サブ溝から前記第５ラグ溝の閉止端までの距離ＲＧ５を前記第４リブの幅ＲＬ４の１５％〜４０％とし、前記サブ溝から前記第６ラグ溝の両側の閉止端までの距離ＲＧ６，ＲＧ７をそれぞれ前記第４リブのタイヤ接地領域内での幅ＲＬ４の２５％〜４５％としたことを特徴とする請求項３に記載の空気入りタイヤ。
【請求項５】
前記第１ラグ溝及び前記第６ラグ溝のタイヤ周方向に対する傾斜角度α１，α６をそれぞれ７０°〜９０°とし、前記第２ラグ溝、前記第３ラグ溝、前記第４ラグ溝及び前記第５ラグ溝のタイヤ周方向に対する傾斜角度α２，α３，α４，α５をそれぞれ４５°〜８０°としたことを特徴とする請求項４に記載の空気入りタイヤ。
【請求項６】
前記第１主溝及び前記第２主溝の溝幅ＧＷ１，ＧＷ２をそれぞれ８ｍｍ〜１６ｍｍとし、前記サブ溝の溝幅ＧＷ３を１ｍｍ〜２．５ｍｍとしたことを特徴とする請求項１〜５のいずれかに記載の空気入りタイヤ。
【請求項７】
前記第２ラグ溝と前記第３ラグ溝とをタイヤ周方向に沿って交互に配置し、前記第３ラグ溝と前記第４ラグ溝及び前記第５ラグ溝とをタイヤ周方向に沿って交互に配置し、前記第４ラグ溝及び前記第５ラグ溝と前記第６ラグ溝とをタイヤ周方向に沿って交互に配置したことを特徴とする請求項１〜６のいずれかに記載の空気入りタイヤ。
【請求項８】
前記第１ラグ溝、前記第２ラグ溝、前記第３ラグ溝及び前記第５ラグ溝が車両内側に向かって開口し、前記第３ラグ溝が前記第１ラグ溝、前記第２ラグ溝及び前記第５ラグ溝とは逆方向に傾斜することを特徴とする請求項１〜７のいずれかに記載の空気入りタイヤ。
【請求項９】
前記トレッド部のタイヤ赤道位置よりも車両外側の領域での溝面積比率が８％〜２２％の範囲にあり、前記トレッド部のタイヤ赤道位置よりも車両内側の領域での溝面積比率が２２％〜４０％の範囲にあることを特徴とする請求項１〜８のいずれかに記載の空気入りタイヤ。
【請求項１０】
前記第１ラグ溝乃至前記第６ラグ溝のタイヤ周方向のピッチ長Ｌがタイヤ外周長の１．５％〜３．５％の範囲にあることを特徴とする請求項１〜９のいずれかに記載の空気入りタイヤ。
【請求項１１】
前記サブ溝が前記第４ラグ溝及び前記第５ラグ溝よりも浅いことを特徴とする請求項１〜１０のいずれかに記載の空気入りタイヤ。
【請求項１２】
前記第１ラグ溝乃至前記第６ラグ溝がいずれも湾曲し、前記第１ラグ溝、前記第２ラグ溝、前記第３ラグ溝及び前記第６ラグ溝の曲率半径をそれぞれ８０ｍｍ〜３６０ｍｍとし、前記第４ラグ溝及び前記第５ラグ溝の曲率半径をそれぞれ８ｍｍ〜４０ｍｍとしたことを特徴とする請求項１〜１１のいずれかに記載の空気入りタイヤ。
【発明の詳細な説明】
【技術分野】
【０００１】
本発明は、車両に対する装着方向が指定された空気入りタイヤに関し、更に詳しくは、ウエット性能とドライ性能と耐偏摩耗性をバランス良く改善することを可能にした空気入りタイヤに関する。
【背景技術】
【０００２】
近年、車両の高性能化に伴い、空気入りタイヤにおいて、ドライ路面での操縦安定性に代表されるドライ性能と、ウエット路面での操縦安定性に代表されるウエット性能とを高次元でバランス良く改善することが強く求められている。
【０００３】
従来、空気入りタイヤにおいては、トレッド部にタイヤ周方向に延びる複数本の主溝を設け、これら主溝によりタイヤ周方向に延在する複数列の陸部を区画し、その陸部に対してタイヤ幅方向に延びるラグ溝を設けるようにしている。例えば、トレッド部のセンター領域にタイヤ周方向に延びる複数本の主溝を設ける一方で、トレッド部のショルダー領域にタイヤ幅方向に延びる複数本のラグ溝を設け、これらラグ溝の端部を陸部内で閉止することで該陸部を複数のブロックに細分化しない構造が提案されている（例えば、特許文献１参照）。この場合、トレッド部の剛性が維持されるため、ドライ性能を維持しつつウエット性能の改善を図ることができる。
【０００４】
しかしながら、優れたウエット性能を獲得するにはラグ溝成分を十分に確保する必要があり、その結果として、ドライ性能が低下するばかりでなく、耐偏摩耗性が低下するという問題がある。特に、サーキット走行のような過酷な走行環境では、ウエット性能及びドライ性能を改善することに加えて、良好な耐偏摩耗性を維持することが求められるので、従来のトレッドパターンでは必ずしも十分ではない。
【先行技術文献】
【特許文献】
【０００５】
【特許文献１】特開２００９−１１３６５２号公報
【発明の概要】
【発明が解決しようとする課題】
【０００６】
本発明の目的は、ウエット性能とドライ性能と耐偏摩耗性をバランス良く改善することを可能にした空気入りタイヤを提供することにある。
【課題を解決するための手段】
【０００７】
上記目的を達成するための本発明の空気入りタイヤは、タイヤ周方向に延在して環状をなすトレッド部と、該トレッド部の両側に配置された一対のサイドウォール部と、これらサイドウォール部のタイヤ径方向内側に配置された一対のビード部とを備え、車両に対する装着方向が指定された空気入りタイヤにおいて、
前記トレッド部のセンター領域にタイヤ周方向に延びる第１主溝を設け、前記トレッド部のタイヤ赤道位置よりも車両内側の領域にタイヤ周方向に延びる第２主溝を設け、前記トレッド部のタイヤ赤道位置よりも車両外側の領域にタイヤ周方向に延びて溝幅及び溝深さの少なくとも一方が前記第１主溝及び前記第２主溝よりも小さいサブ溝を設け、
前記第１主溝の中心位置からタイヤ赤道位置までの距離ＧＬ１をタイヤ接地幅ＴＬの半幅ＴＬ／２の６％以下とし、前記第２主溝の中心位置からタイヤ赤道位置までの距離ＧＬ２をタイヤ接地幅ＴＬの半幅ＴＬ／２の４０％〜６５％とし、前記サブ溝の中心位置からタイヤ赤道位置までの距離ＧＬ３をタイヤ接地幅ＴＬの半幅ＴＬ／２の４０％〜６５％とし、
前記第２主溝よりも車両内側に第１リブを区画し、前記第２主溝と前記第１主溝との間に第２リブを区画し、前記第１主溝と前記サブ溝との間に第３リブを区画し、前記サブ溝よりも車両外側に第４リブを区画すると共に、
前記トレッド部に、一端が車両内側の接地端に到達し他端が前記第２主溝に対して非連通となるように第１リブ内で閉止した複数本の第１ラグ溝と、一端が前記第２主溝に連通し他端が第１リブ内又は第２リブ内で閉止した複数本の第２ラグ溝と、一端が前記第１主溝に連通し他端が第２リブ内又は第３リブ内で閉止した複数本の第３ラグ溝と、一端が前記サブ溝に連通し他端が第３リブ内で閉止した複数本の第４ラグ溝と、一端が前記サブ溝に連通し他端が第４リブ内で閉止した複数本の第５ラグ溝と、一端が車両外側の接地端に到達し他端が前記サブ溝に対して非連通となるように第４リブ内で閉止した複数本の第６ラグ溝を設けたことを特徴とするものである。
【発明の効果】
【０００８】
本発明では、車両に対する装着方向が指定された空気入りタイヤにおいて、トレッド部のセンター領域に第１主溝を配置し、トレッド部のタイヤ赤道位置よりも車両内側の領域に第２主溝を配置し、トレッド部のタイヤ赤道位置よりも車両外側の領域にサブ溝を配置すると共に、トレッド部に第１ラグ溝乃至第６ラグ溝を分散させて配置することにより、良好なウエット性能を維持しながら、トレッド部の剛性バランスを最適化してドライ性能を改善することができる。しかも、第１ラグ溝乃至第６ラグ溝の端部を閉止し、第１リブ乃至第４リブを細分化しない構造とするので、これが各リブの剛性を維持することと偏摩耗の抑制に大きく寄与する。そのため、上記構成によれば、ウエット路面での操縦安定性に代表されるウエット性能とドライ路面での操縦安定性に代表されるドライ性能と耐偏摩耗性をバランス良く改善することが可能になる。
【０００９】
本発明において、第２ラグ溝及び第３ラグ溝が車両内側に向かって開口することが好ましい。これにより、車両外側からの入力に対する第２リブ及び第３リブの剛性を維持し、ドライ路面での操縦安定性を向上することができる。
【００１０】
第１ラグ溝は車両内側の接地端を横切って第１リブの車両内側の端部まで延在し、第６ラグ溝は車両外側の接地端を横切り、該第６ラグ溝の車両外側の端部が第４リブ内で閉止することが好ましい。これにより、ドライ性能とウエット性能をバランス良く改善することができる。
【００１１】
第２主溝から第１ラグ溝のタイヤ赤道側の閉止端までの距離ＲＧ１は第１リブの接地領域内での幅ＲＬ１の１５％〜３５％とし、第２主溝から第２ラグ溝の閉止端までの距離ＲＧ２は第２リブの幅ＲＬ２の３０％〜６５％とし、第１主溝から第３ラグ溝の閉止端までの距離ＲＧ３は第３リブの幅ＲＬ３の２５％〜６０％とし、サブ溝から第４ラグ溝の閉止端までの距離ＲＧ４は第３リブの幅ＲＬ３の１５％〜４０％とし、サブ溝から第５ラグ溝の閉止端までの距離ＲＧ５は第４リブの幅ＲＬ４の１５％〜４０％とし、サブ溝から第６ラグ溝の両側の閉止端までの距離ＲＧ６，ＲＧ７はそれぞれ第４リブのタイヤ接地領域内での幅ＲＬ４の２５％〜４５％とすることが好ましい。これにより、ウエット性能とドライ性能と耐偏摩耗性をバランス良く改善することができる。
【００１２】
第１ラグ溝及び第６ラグ溝のタイヤ周方向に対する傾斜角度α１，α６はそれぞれ７０°〜９０°とし、第２ラグ溝、第３ラグ溝、第４ラグ溝及び第５ラグ溝のタイヤ周方向に対する傾斜角度α２，α３，α４，α５はそれぞれ４５°〜８０°とすることが好ましい。これにより、ウエット性能とドライ性能と耐偏摩耗性をバランス良く改善することができる。
【００１３】
第１主溝及び第２主溝の溝幅ＧＷ１，ＧＷ２はそれぞれ８ｍｍ〜１６ｍｍとし、サブ溝の溝幅ＧＷ３は１ｍｍ〜２．５ｍｍとすることが好ましい。これにより、ドライ性能とウエット性能をバランス良く改善することができる。
【００１４】
第２ラグ溝と第３ラグ溝とはタイヤ周方向に沿って交互に配置し、第３ラグ溝と第４ラグ溝及び第５ラグ溝とはタイヤ周方向に沿って交互に配置し、第４ラグ溝及び第５ラグ溝と第６ラグ溝とはタイヤ周方向に沿って交互に配置することが好ましい。このように隣り合うラグ溝同士を千鳥状に配置することにより、トレッド部の剛性バランスを均一化し、ドライ性能と耐偏摩耗性をバランス良く改善することができる。
【００１５】
第１ラグ溝、第２ラグ溝、第３ラグ溝及び第５ラグ溝が車両内側に向かって開口する場合、第３ラグ溝は第１ラグ溝、第２ラグ溝及び第５ラグ溝とは逆方向に傾斜することが好ましい。このように第３ラグ溝を第１ラグ溝、第２ラグ溝及び第５ラグ溝とは逆方向に傾斜させることにより、トレッド部の剛性バランスを均一化し、ドライ性能と耐偏摩耗性をバランス良く改善することができる。
【００１６】
トレッド部のタイヤ赤道位置よりも車両外側の領域での溝面積比率は８％〜２２％の範囲にあり、トレッド部のタイヤ赤道位置よりも車両内側の領域での溝面積比率は２２％〜４０％の範囲にあることが好ましい。このように車両外側の領域での溝面積比率を相対的に小さくすることにより、コーナリング時の負荷をしっかりと受け止めることができるためドライ路面での操縦安定性が向上し、更にはトレッド部の摩耗を抑制することができる。また、車両内側の領域での溝面積比率を相対的に大きくすることにより、排水性を十分に確保することができる。
【００１７】
第１ラグ溝乃至第６ラグ溝のタイヤ周方向のピッチ長Ｌはタイヤ外周長の１．５％〜３．５％の範囲にあることが好ましい。これにより、ドライ性能とウエット性能をバランス良く改善することができる。
【００１８】
サブ溝は第４ラグ溝及び第５ラグ溝よりも浅いことが好ましい。車両外側の領域に位置するサブ溝を浅くすることにより、ドライ路面での操縦安定性を向上し、かつ耐偏摩耗性を向上することができる。
【００１９】
第１ラグ溝乃至第６ラグ溝はいずれも湾曲し、第１ラグ溝、第２ラグ溝、第３ラグ溝及び第６ラグ溝の曲率半径はそれぞれ８０ｍｍ〜３６０ｍｍとし、第４ラグ溝及び第５ラグ溝の曲率半径はそれぞれ８ｍｍ〜４０ｍｍとすることが好ましい。このように各ラグ溝を湾曲させることにより、制駆動時や旋回時に損傷を受け易いラグ溝に掛かる力を分散し、偏摩耗を回避することができる。
【００２０】
本発明において、各寸法はタイヤを正規リムにリム組みして正規内圧を充填した状態で測定されるものである。「正規リム」とは、タイヤが基づいている規格を含む規格体系において、当該規格がタイヤ毎に定めるリムであり、例えば、ＪＡＴＭＡであれば標準リム、ＴＲＡであれば“Ｄｅｓｉｇｎ  Ｒｉｍ”、或いはＥＴＲＴＯであれば“Ｍｅａｓｕｒｉｎｇ  Ｒｉｍ”とする。「正規内圧」とは、タイヤが基づいている規格を含む規格体系において、各規格がタイヤ毎に定めている空気圧であり、ＪＡＴＭＡであれば最高空気圧、ＴＲＡであれば表“ＴＩＲＥ  ＲＯＡＤ  ＬＩＭＩＴＳ  ＡＴ  ＶＡＲＩＯＵＳ  ＣＯＬＤ  ＩＮＦＬＡＴＩＯＮ  ＰＲＥＳＳＵＲＥＳ”に記載の最大値、ＥＴＲＴＯであれば“ＩＮＦＬＡＴＩＯＮ  ＰＲＥＳＳＵＲＥ”であるが、タイヤが乗用車である場合には１８０ｋＰａとする。
【００２１】
本発明において、タイヤ接地幅ＴＬは上述した測定条件にて測定されるタイヤ断面幅Ｔの８５％と定義される。溝面積比率とは、タイヤ接地幅ＴＬにて規定される接地領域内での溝面積比率である。この溝面積比率は各領域の総面積（陸部及び溝部を含む）に対する各領域内の溝部の総面積の比率（％）である。
【図面の簡単な説明】
【００２２】
【図１】本発明の実施形態からなる空気入りタイヤを示す斜視図である。
【図２】図１の空気入りタイヤを示す正面図である。
【図３】図１の空気入りタイヤを示す子午線断面図である。
【図４】図１の空気入りタイヤのトレッドパターンを示す展開図である。
【図５】従来例の空気入りタイヤのトレッドパターンを示す展開図である。
【図６】比較例の空気入りタイヤのトレッドパターンを示す展開図である。
【発明を実施するための形態】
【００２３】
以下、本発明の構成について添付の図面を参照しながら詳細に説明する。図１〜図４は本発明の実施形態からなる空気入りタイヤを示すものである。この空気入りタイヤは、車両装着時におけるタイヤ表裏の装着方向が指定されたタイヤである。図１〜図４において、ＩＮは車両装着時の車両内側であり、ＯＵＴは車両装着時の車両外側である。このような装着方向はタイヤ外表面の任意の部位に表示される。
【００２４】
図１〜図３に示すように、本実施形態の空気入りタイヤは、タイヤ周方向に延在して環状をなすトレッド部１と、該トレッド部１の両側に配置された一対のサイドウォール部２，２と、これらサイドウォール部２のタイヤ径方向内側に配置された一対のビード部３，３とを備えている。
【００２５】
一対のビード部３，３間にはカーカス層４が装架されている。このカーカス層４は、タイヤ径方向に延びる複数本の補強コードを含み、各ビード部３に配置されたビードコア５の廻りにタイヤ内側から外側へ折り返されている。ビードコア５の外周上には断面三角形状のゴム組成物からなるビードフィラー６が配置されている。
【００２６】
一方、トレッド部１におけるカーカス層４の外周側には複数層のベルト層７が埋設されている。これらベルト層７はタイヤ周方向に対して傾斜する複数本の補強コードを含み、かつ層間で補強コードが互いに交差するように配置されている。ベルト層７において、補強コードのタイヤ周方向に対する傾斜角度は例えば１０°〜４０°の範囲に設定されている。ベルト層７の補強コードとしては、スチールコードが好ましく使用される。ベルト層７の外周側には、高速耐久性の向上を目的として、補強コードをタイヤ周方向に対して例えば５°以下の角度で配列してなる少なくとも１層のベルトカバー層８が配置されている。ベルトカバー層８の補強コードとしては、ナイロンやアラミド等の有機繊維コードが好ましく使用される。
【００２７】
なお、上述したタイヤ内部構造は空気入りタイヤにおける代表的な例を示すものであるが、これに限定されるものではない。
【００２８】
図４に示すように、トレッド部１のセンター領域にはタイヤ周方向に延びる第１主溝１１が形成され、トレッド部１のタイヤ赤道位置ＣＬよりも車両内側の領域にはタイヤ周方向に延びる第２主溝１２が形成され、トレッド部１のタイヤ赤道位置ＣＬよりも車両外側の領域にはタイヤ周方向に延びるサブ溝１３が形成されている。第１主溝１１及び第２主溝は新品時の最大溝幅が２．５ｍｍ以上であり、かつ溝深さが３．５ｍｍ以上のものである。一方、サブ溝１３は溝幅及び溝深さの少なくとも一方が第１主溝１１及び第２主溝１２に関する上記規定よりも小さいものである。
【００２９】
タイヤ断面幅Ｔ（図２参照）の８５％をタイヤ接地幅ＴＬとしたとき、第１主溝１１の中心位置からタイヤ赤道位置ＣＬまでの距離ＧＬ１はタイヤ接地幅ＴＬの半幅ＴＬ／２の６％以下に設定され、第２主溝１２の中心位置からタイヤ赤道位置ＣＬまでの距離ＧＬ２はタイヤ接地幅ＴＬの半幅ＴＬ／２の４０％〜６５％に設定され、サブ溝１３の中心位置からタイヤ赤道位置ＣＬまでの距離ＧＬ３はタイヤ接地幅ＴＬの半幅ＴＬ／２の４０％〜６５％に設定されている。これにより、第２主溝１２よりも車両内側に第１リブ２１が区画され、第２主溝１２と第１主溝１１との間に第２リブ２２が区画され、第１主溝１１とサブ溝１３との間に第３リブ２３が区画され、サブ溝１３よりも車両外側に第４リブ２４が区画されている。
【００３０】
更に、トレッド部１には、複数本の第１ラグ溝３１、複数本の第２ラグ溝３２、複数本の第３ラグ溝３３、複数本の第４ラグ溝３４、複数本の第５ラグ溝３５、複数本の第６ラグ溝３６がそれぞれタイヤ周方向に沿って間隔をおいて形成されている。第１ラグ溝３１の各々は、一端が車両内側の接地端Ｅｉｎに到達し他端が第２主溝１２に対して非連通となるように第１リブ２１内で閉止した構造を有している。第２ラグ溝３２の各々は、一端が第２主溝１２に連通し他端が第２リブ２２内で閉止した構造を有している。第３ラグ溝の各々は、一端が第１主溝１１に連通し他端が第３リブ２３内で閉止した構造を有している。第４ラグ溝の各々は、一端がサブ溝１３に連通し他端が第３リブ２３内で閉止した構造を有している。第５ラグ溝３５の各々は、一端がサブ溝１３に連通し他端が第４リブ２４内で閉止した構造を有している。第６ラグ溝３６の各々は、一端が車両外側の接地端Ｅｏｕｔに到達し他端がサブ溝１３に対して非連通となるように第４リブ２４内で閉止した構造を有している。ラグ溝３１〜３６の溝幅及び溝深さは特に限定されるものではなく、例えば、溝幅を３．５ｍｍ〜８．０ｍｍ（好ましくは４．５ｍｍ〜７．５ｍｍ）とし、溝深さを３．０ｍｍ〜７．０ｍｍ（好ましくは４．０ｍｍ〜７．０ｍｍ）とすれば良い。
【００３１】
上述した空気入りタイヤでは、トレッド部１のセンター領域に第１主溝１１を配置し、トレッド部１のタイヤ赤道位置ＣＬよりも車両内側の領域に第２主溝１２を配置し、トレッド部１のタイヤ赤道位置ＣＬよりも車両外側の領域にサブ溝１３を配置すると共に、トレッド部１にラグ溝３１〜３６を分散させて配置することにより、良好なウエット性能を維持しながら、トレッド部１の剛性バランスを最適化してドライ性能を改善することができる。しかも、ラグ溝３１〜３６の端部を閉止し、リブ２１〜２４を細分化しない構造とするので、これが各リブ２１〜２４の剛性を維持することと偏摩耗の抑制に大きく寄与する。そのため、上記トレッドパターンを有する空気入りタイヤによれば、ウエット性能とドライ性能と耐偏摩耗性をバランス良く改善することができる。
【００３２】
ここで、第１主溝１１の中心位置からタイヤ赤道位置ＣＬまでの距離ＧＬ１がタイヤ接地幅ＴＬの半幅ＴＬ／２の６％より大きいとウエット性能が低下する。第１主溝１１の距離ＧＬ１は半幅ＴＬ／２の３％以下であると良い。特に、良好なウエット性能を発揮するために、第１主溝１１はタイヤ赤道位置ＣＬと重なる位置に配置されることが望ましい。接地面圧が高いトレッドセンター付近に第１主溝１１を配置することで、効率良く排水することができる。なお、第１主溝１１はタイヤ赤道位置ＣＬに対して車両内側及び車両外側のいずれの側にずれていても良い。
【００３３】
また、第２主溝１２の中心位置からタイヤ赤道位置ＣＬまでの距離ＧＬ２がタイヤ接地幅ＴＬの半幅ＴＬ／２の４０％より小さいと第２リブ２２の剛性が低下して操縦安定性や耐偏摩耗性が悪化し、逆に６５％よりも大きいと第１リブ２１の剛性が低下して操縦安定性や耐偏摩耗性が悪化する。
【００３４】
更に、サブ溝１３の中心位置からタイヤ赤道位置ＣＬまでの距離ＧＬ３がタイヤ接地幅ＴＬの半幅ＴＬ／２の４０％より小さいと第３リブ２３の剛性が低下して操縦安定性や耐偏摩耗性が悪化し、逆に６５％よりも大きいと第４リブ２４の剛性が低下して操縦安定性や耐偏摩耗性が悪化する。第２主溝１２の距離ＧＬ２とサブ溝１３の距離ＧＬ３は実質的に等しくするのが良い。
【００３５】
上記空気入りタイヤにおいて、第２ラグ溝３２は一端が第２主溝１２に連通するものであれば良く、その他端は第１リブ２１内又は第２リブ２２内で閉止することが可能である。同様に、第３ラグ溝３３は一端が第１主溝１１に連通するものであれば良く、その他端は第２リブ２２内又は第３リブ２３内で閉止することが可能である。しかしながら、第２ラグ溝３２及び第３ラグ溝３３は図示のように車両内側に向かって開口することが好ましい。これにより、車両外側からの入力に対する第２リブ２２及び第３リブ２３の剛性を維持し、ドライ路面での操縦安定性を向上することができる。
【００３６】
また、第１ラグ溝３１は車両内側の接地端Ｅｉｎを横切って第１リブ２１の車両内側の端部まで延在し、第６ラグ溝３６は車両外側の接地端Ｅｏｕｔを横切り、該第６ラグ溝３６の車両外側の端部が第４リブ２４内で閉止することが好ましい。これにより、ドライ性能とウエット性能をバランス良く改善することができる。つまり、デザインエンドまで延長された車両内側の第１ラグ溝３１はウエット性能の向上に寄与し、両端が閉止された車両外側の第６ラグ溝３６はドライ性能の向上に寄与する。
【００３７】
図４において、第２主溝１２から第１ラグ溝３１のタイヤ赤道側の閉止端までの距離ＲＧ１は第１リブ２１の接地領域内での幅ＲＬ１の１５％〜３５％の範囲に設定され、第２主溝１２から第２ラグ溝３２の閉止端までの距離ＲＧ２は第２リブ２２の幅ＲＬ２の３０％〜６５％の範囲に設定され、第１主溝１１から第３ラグ溝３３の閉止端までの距離ＲＧ３は第３リブ２３の幅ＲＬ３の２５％〜６０％の範囲に設定され、サブ溝１３から第４ラグ溝３４の閉止端までの距離ＲＧ４は第３リブ２３の幅ＲＬ３の１５％〜４０％の範囲に設定され、サブ溝１３から第５ラグ溝３５の閉止端までの距離ＲＧ５は第４リブ２４の幅ＲＬ４の１５％〜４０％の範囲に設定され、サブ溝１３から第６ラグ溝３６の両側の閉止端までの距離ＲＧ６，ＲＧ７はそれぞれ第４リブ２４のタイヤ接地領域内での幅ＲＬ４の２５％〜４５％の範囲に設定されている。これにより、ウエット性能とドライ性能と耐偏摩耗性をバランス良く改善することができる。
【００３８】
ここで、第２主溝１２から第１ラグ溝３１の閉止端までの距離ＲＧ１が第１リブ２１の幅ＲＬ１の１５％よりも小さいと第１ラグ溝３１が第２主溝１２に近接するため剛性が低下して偏摩耗が発生し易くなり、逆に３５％よりも大きいと排水性が低下する。特に、距離ＲＧ１は第１リブ２１の幅ＲＬ１の２０％〜３０％であることが好ましい。
【００３９】
第２主溝１２から第２ラグ溝３２の閉止端までの距離ＲＧ２が第２リブ２２の幅ＲＬ２の３０％よりも小さいと第２リブ２２の剛性が上がり過ぎて横力を適度に逃がすことができなくなるため偏摩耗が発生し易くなり、逆に６５％よりも大きいと第２リブ２２の剛性が下がり過ぎてドライ路面での操縦安定性が低下する。特に、距離ＲＧ２は第２リブ２２の幅ＲＬ２の４０％〜５５％であることが好ましい。
【００４０】
第１主溝１１から第３ラグ溝３３の閉止端までの距離ＲＧ３が第３リブ２３の幅ＲＬ３の２５％よりも小さいと第３リブ２３の剛性が上がり過ぎて横力を適度に逃がすことができなくなるため偏摩耗が発生し易くなり、逆に６０％よりも大きいと第３リブ２３の剛性が下がり過ぎてドライ路面での操縦安定性が低下する。特に、距離ＲＧ３は第３リブ２３の幅ＲＬ３の３５％〜５０％であることが好ましい。
【００４１】
サブ溝１３から第４ラグ溝３４の閉止端までの距離ＲＧ４が第３リブ２３の幅ＲＬ３の１５％よりも小さいと第３リブ２３の剛性が上がり過ぎて横力を適度に逃がすことができなくなるため偏摩耗が発生し易くなり、逆に４０％よりも大きいと第３リブ２３の剛性が下がり過ぎてドライ路面での操縦安定性が低下する。特に、距離ＲＧ４は第３リブ２３の幅ＲＬ３の２０％〜３０％であることが好ましい。
【００４２】
サブ溝１３から第５ラグ溝３５の閉止端までの距離ＲＧ５が第４リブ２４の幅ＲＬ４の１５％よりも小さいと第４リブ２４の剛性が上がり過ぎて横力を適度に逃がすことができなくなるため偏摩耗が発生し易くなり、逆に４０％よりも大きいと第４リブ２４の剛性が下がり過ぎてドライ路面での操縦安定性が低下する。特に、距離ＲＧ４は第４リブ２４の幅ＲＬ４の２０％〜３０％であることが好ましい。
【００４３】
サブ溝１３から第６ラグ溝３６の両側の閉止端までの距離ＲＧ６，ＲＧ７が第４リブ２４の幅ＲＬ４の２５％よりも小さいとコーナリング時のウエット性能が低下し、逆に４５％よりも大きいとドライ路面での操縦安定性が低下する。特に、距離ＲＧ６，ＲＧ７は第４リブ２４の幅ＲＬ４の３０％〜４０％であることが好ましい。
【００４４】
図４において、第１ラグ溝３１及び第６ラグ溝３６のタイヤ周方向に対する傾斜角度α１，α６はそれぞれ７０°〜９０°の範囲に設定され、第２ラグ溝３２、第３ラグ溝３３、第４ラグ溝３４及び第５ラグ溝３５のタイヤ周方向に対する傾斜角度α２，α３，α４，α５はそれぞれ４５°〜８０°の範囲に設定されている。これにより、ウエット性能とドライ性能と耐偏摩耗性をバランス良く改善することができる。なお、傾斜角度α１〜α６は第１ラグ溝３１乃至第６ラグ溝３６の各々において両端の溝幅中心位置同士を結ぶ直線のタイヤ周方向に対する傾斜角度である。
【００４５】
ここで、第１ラグ溝３１及び第６ラグ溝３６のタイヤ周方向に対する傾斜角度α１，α６が７０°より小さいと回転時の方向性が強くなり、一方向への回転時に比べて他方向への回転時の排水性が低下することになる。上記トレッドパターンは車両に対する装着方向が指定されるものの、回転方向が指定されるものではない。特に、傾斜角度α１，α６は７５°〜８５°であることが好ましい。
【００４６】
第２ラグ溝３２、第３ラグ溝３３、第４ラグ溝３４及び第５ラグ溝３５のタイヤ周方向に対する傾斜角度α２，α３，α４，α５が４５°よりも小さいと対応するリブ２２，２３，２４の剛性が低下するため特にドライ路面でのコーナリング時における操縦安定性が低下し、逆に８０°よりも大きいと制駆動時に偏摩耗が発生し易くなる。特に、傾斜角度α２〜α５は５０°〜７０°であることが好ましい。
【００４７】
上記空気入りタイヤにおいて、第１主溝１１及び第２主溝１２の溝幅ＧＷ１，ＧＷ２はそれぞれ８ｍｍ〜１６ｍｍとし、サブ溝１３の溝幅ＧＷ３は１ｍｍ〜２．５ｍｍであることが好ましい。これにより、ドライ性能とウエット性能をバランス良く改善することができる。
【００４８】
ここで、第１主溝１１及び第２主溝１２の溝幅ＧＷ１，ＧＷ２が８ｍｍよりも小さいと排水性が低下し、逆に１６ｍｍよりも大きいとコーナリング時に発生する横力により第１主溝１１及び第２主溝１２の位置でトレッド部１にバックリングが発生し易くなる。特に、溝幅ＧＷ１，ＧＷ２は１０ｍｍ〜１４ｍｍであることが好ましい。また、第１主溝１１及び第２主溝１２の溝深さは５ｍｍ〜７ｍｍとするのが良い。その溝深さが５ｍｍよりも小さいとウエット性能が低下し、逆に７ｍｍよりも大きいと操縦安定性が低下する。特に、第１主溝１１及び第２主溝１２の溝深さは５．５ｍｍ〜６．５ｍｍであることが好ましい。
【００４９】
一方、サブ溝１３の溝幅ＧＷ３が１ｍｍよりも小さいとウエット性能が低下し、逆に２．５ｍｍよりも大きいと操縦安定性が低下する。特に、サブ溝１３の溝幅ＧＷ３は第１主溝１１及び第２主溝１２の溝深さの２０％〜９０％であることが好ましい。
【００５０】
上記空気入りタイヤにおいて、第２ラグ溝３２と第３ラグ溝３３とはタイヤ周方向に沿って交互に配置され、第３ラグ溝３３と第４ラグ溝３４及び第５ラグ溝３５とはタイヤ周方向に沿って交互に配置され、第４ラグ溝及び第５ラグ溝と第６ラグ溝とはタイヤ周方向に沿って交互に配置されている。このように隣り合うラグ溝同士を千鳥状に配置することにより、トレッド部１の剛性バランスを均一化し、その結果、ドライ路面での操縦安定性を向上し、かつ偏摩耗を回避することができる。
【００５１】
また、第１ラグ溝３１、第２ラグ溝３２、第３ラグ溝３３及び第５ラグ溝３５が図示のように車両内側に向かって開口する場合、第３ラグ溝３３のタイヤ幅方向に対する傾斜方向は第１ラグ溝３１、第２ラグ溝３２及び第５ラグ溝３５のタイヤ幅方向に対する傾斜方向とは逆であることが好ましい。このようにトレッド部１のセンター領域に配置された第１主溝１１に開口する第３ラグ溝３３を第１ラグ溝３１、第２ラグ溝３２及び第５ラグ溝３５とは逆方向に傾斜させることにより、トレッド部１の剛性バランスを均一化し、その結果、ドライ路面での操縦安定性を向上し、かつ偏摩耗を回避することができる。
【００５２】
上記空気入りタイヤにおいて、トレッド部１のタイヤ赤道位置ＣＬよりも車両外側の領域での溝面積比率は８％〜２２％の範囲にあり、トレッド部１のタイヤ赤道位置ＣＬよりも車両内側の領域での溝面積比率は２２％〜４０％の範囲にあると良い。このように車両外側の領域での溝面積比率を相対的に小さくすることにより、コーナリング時の負荷をしっかりと受け止めることができるためドライ路面での操縦安定性が向上し、更にはトレッド部１の摩耗を抑制することができる。特に、車両外側領域での溝面積比率は１２％〜２０％の範囲にあることが好ましい。また、車両内側の領域での溝面積比率を相対的に大きくすることにより、排水性を十分に確保することができる。特に、車両内側領域での溝面積比率は２５％〜３５％の範囲にあることが好ましい。
【００５３】
第１ラグ溝３１乃至第６ラグ溝３６のタイヤ周方向のピッチ長Ｌはタイヤ外周長の１．５％〜３．５％の範囲にあると良い。これにより、ドライ性能とウエット性能をバランス良く改善することができる。第１ラグ溝３１乃至第６ラグ溝３６のピッチ長Ｌがタイヤ外周長の１．５％よりも小さいと操縦安定性が低下し、逆に３．５％よりも大きいとウエット性能が低下する。特に、ピッチ長Ｌはタイヤ外周長の２％〜３％の範囲にあることが好ましい。
【００５４】
サブ溝１３はそれに連通する第４ラグ溝３４及び第５ラグ溝３５よりも浅いものとするのが良い。車両外側の領域に位置するサブ溝１３を浅くすることにより、ドライ路面での操縦安定性を向上し、かつ偏摩耗や損傷を低減することができる。
【００５５】
更に、第１ラグ溝３１乃至第６ラグ溝３６はいずれも湾曲したものであると良い。そして、タイヤ周方向に延びる第１主溝１１又はサブ溝１３に連通しない第１ラグ溝３１及び第６ラグ溝３６の曲率半径ＲＲ１，ＲＲ６、並びに、第１主溝１１又は第２主溝１２に連通する第２ラグ溝３２及び第３ラグ溝３３の曲率半径ＲＲ２，ＲＲ３はそれぞれ８０ｍｍ〜３６０ｍｍとし、サブ溝１３に連通する第４ラグ溝３４及び第５ラグ溝３５の曲率半径ＲＲ４，ＲＲ５はそれぞれ８ｍｍ〜４０ｍｍとすると良い。このように各ラグ溝３１〜３６を湾曲させることにより、制駆動時や旋回時に損傷を受け易いラグ溝３１〜３６に掛かる力を分散し、偏摩耗を回避することができる。特に、曲率半径ＲＲ１，ＲＲ２，ＲＲ３，ＲＲ６は１２０ｍｍ〜２４０ｍｍとし、曲率半径ＲＲ４，ＲＲ５は１０ｍｍ〜２５ｍｍとすることが好ましい。ラグ溝３１〜３６の各々において、単一の曲率半径を適用しても良く、或いは、複数の曲率半径を組み合わせるようにしても良い。なお、曲率半径ＲＲ１〜ＲＲ６はラグ溝３１〜３６の中心線上に含まれる湾曲開始点と湾曲終了点とその中間点を通る円弧の曲率半径である。ラグ溝３１〜３６が屈曲部を有する場合、その屈曲部を除いた部分の平均曲率半径とする。
【実施例】
【００５６】
タイヤサイズ２０５／５５Ｒ１６  ９１Ｖで、車両に対する装着方向が指定された空気入りタイヤにおいて、図１〜図４に示すように、トレッド部のセンター領域にタイヤ周方向に延びる第１主溝を設け、トレッド部のタイヤ赤道位置よりも車両内側の領域にタイヤ周方向に延びる第２主溝を設け、トレッド部のタイヤ赤道位置よりも車両外側の領域にタイヤ周方向に延びるサブ溝を設け、トレッド部に第１リブ乃至第４リブを区画し、トレッド部に第１ラグ溝乃至第６ラグ溝を設けると共に、第１主溝の位置〔ＧＬ１／（ＴＬ／２）×１００％〕と溝幅ＧＷ１、第２主溝の位置〔ＧＬ２／（ＴＬ／２）×１００％〕と溝幅ＧＷ２、サブ溝の位置〔ＧＬ３／（ＴＬ／２）×１００％〕と溝幅ＧＷ３、第１ラグ溝の閉止位置〔ＲＧ１／ＲＬ１×１００％〕と傾斜角度α１、第２ラグ溝の閉止位置〔ＲＧ２／ＲＬ２×１００％〕と傾斜角度α２、第３ラグ溝の閉止位置〔ＲＧ３／ＲＬ３×１００％〕と傾斜角度α３、第４ラグ溝の閉止位置〔ＲＧ４／ＲＬ３×１００％〕と傾斜角度α４、第５ラグ溝の閉止位置〔ＲＧ５／ＲＬ４×１００％〕と傾斜角度α５、第６ラグ溝の閉止位置〔ＲＧ６／ＲＬ４×１００％，ＲＧ７／ＲＬ４×１００％〕と傾斜角度α６を表１及び表２のように設定した実施例１〜５及び比較例１〜４のタイヤをそれぞれ製作した。
【００５７】
比較のため、図５に示すように、トレッド部（４１）のセンター領域においてタイヤ周方向に延びる複数本の主溝（４２）とトレッド部のショルダー領域においてタイヤ幅方向に延びる複数本のラグ溝（４３，４４）を備えた従来例１のタイヤを用意した。更に、図６に示すように、サブ溝を排除し、ラグ溝を主溝に対して非連通としたこと以外は実施例１と同様の構造を有する比較例５のタイヤを用意した。
【００５８】
なお、第１主溝の位置として正値と負値を記載しているが、正値は第１主溝がタイヤ赤道位置よりも車両内側にシフトしている場合を意味し、負値は第１主溝がタイヤ赤道位置よりも車両外側にシフトしている場合を意味する。
【００５９】
これら試験タイヤについて、下記試験方法により、ドライ性能（操縦安定性、走行タイム）、耐偏摩耗性、ウエット性能（操縦安定性、ハイドロプレーニング発生速度）を評価し、その結果を表１及び表２に併せて示した。各評価は、試験タイヤをリムサイズ１６×７ＪＪのホイールに組み付けて排気量２０００ｃｃの後輪駆動車に装着し、ウォームアップ後の空気圧を２２０ｋＰａとした条件にて行った。
【００６０】
ドライ性能：
ドライ路面のサーキットにおいてテストドライバーによる走行試験を実施し、サーキットを７周走行したときの走行タイムを計測すると同時に、その際の操縦安定性を官能評価した。ドライ路面での操縦安定性は従来例１を５点とする１０点満点で評価した。この評価点が大きいほどドライ路面での操縦安定性が優れていることを意味する。走行タイムについては、ベストタイムと、ベストタイム及びワーストタイムを除いた５周の平均タイムとを求めた。走行タイムの評価結果は、測定値の逆数を用い、従来例１を１００とする指数にて示した。この指数値が大きいほど走行タイムが短いことを意味する。
【００６１】
耐偏摩耗性：
ドライ路面のサーキットにおいてテストドライバーによる走行試験を実施し、５０ｋｍの連続走行後、トレッド部に生じた偏摩耗の度合いを調べた。耐偏摩耗性については、偏摩耗の度合いを１０点満点（１０：優、９又は８：良、７又は６：可、５以下：不良）で評価した。この評価点が大きいほど耐偏摩耗性が優れていることを意味する。
【００６２】
ウエット性能：
ウエット路面のサーキットにおいてテストドライバーによる走行試験を実施し、その際の操縦安定性を官能評価した。ウエット路面での操縦安定性は従来例１を５点とする１０点満点で評価した。この評価点が大きいほどウエット路面での操縦安定性が優れていることを意味する。また、一定の水深条件においてハイドロプレーニングの発生速度を計測した。ハイドロプレーニング発生速度の評価結果は、従来例１を１００とする指数にて示した。この指数値が大きいほどハイドロプレーニング発生速度が高いことを意味する。
【００６３】
【表１】
0006044561.tif 000002
【００６４】
【表２】
0006044561.tif 000003
【００６５】
この表１及び表２から判るように、実施例１〜５のタイヤは、従来例１との対比において、ウエット性能とドライ性能と耐偏摩耗性をバランス良く改善することができた。一方、比較例１，３，５のタイヤは、ドライ性能と耐偏摩耗性が良好であるものの、ウエット性能が劣っていた。また、比較例２，４のタイヤは、ウエット性能が良好であるものの、ドライ性能と耐偏摩耗性が劣っていた。
【符号の説明】
【００６６】
１  トレッド部
２  サイドウォール部
３  ビード部
１１  第１主溝
１２  第２主溝
１３  サブ溝
２１，２２，２３，２４  リブ
３１，３２，３３，３４，３５，３６  ラグ溝
【図１】
0006044561.tif 000004
【図２】
0006044561.tif 000005
【図３】
0006044561.tif 000006
【図４】
0006044561.tif 000007
【図５】
0006044561.tif 000008
【図６】
0006044561.tif 000009